(57)【要約】      （修正有）【課題】複数の加工装置を用いて加工成果物を製造するときに依頼者の思いをよりよく伝達できる加工成果物を作製することができる加工システム、及び加工成果物の製造方法を提供する。【解決手段】加工システム１０は、印刷装置２０Ａよる加工が完了した被加工物と、箔押装置２０Ｃによる加工が完了した被加工物と、被加工物の加工を依頼した依頼者とを撮影するビデオカメラ１５と、ビデオカメラ１５によって撮影された映像を含む特定ファイルを記憶する記憶装置７２を有するサーバー７０と、印刷装置２０Ａ、箔押装置２０Ｃおよびビデオカメラ１５を制御する制御装置を有する１つの操作端末４０と、を備えている。制御装置は、記憶装置７２に記憶された特定ファイルにアクセス可能なアドレス情報が含まれる識別標識を被加工物に加工するように印刷装置２０Ａを制御する加工制御部を備えている。【選択図】図１
2019211855.tif 000002
【特許請求の範囲】
【請求項１】
被加工物を加工する第１加工装置と、
前記第１加工装置によって加工された前記被加工物を加工する第２加工装置と、
前記第１加工装置による加工中および／または加工完了後における前記被加工物の静止画または動画である第１映像を撮影し、かつ、前記第２加工装置による加工中および／または加工完了後における前記被加工物の静止画または動画である第２映像を撮影し、かつ、前記被加工物の加工を依頼した依頼者の静止画または動画である依頼者映像を撮影あるいは前記依頼者の音声を録音する記録装置と、
前記記録装置によって撮影された前記第１映像および前記第２映像および前記依頼者映像および録音された前記音声のいずれか３つを含む特定ファイルを記憶する記憶装置を有するサーバーと、
前記第１加工装置、前記第２加工装置および前記記録装置を制御する制御装置を有する１つの操作端末と、を備え、
前記制御装置は、
前記第１加工装置および前記第２加工装置を制御する加工制御部と、
前記記録装置を制御する記録制御部と、を備え、
前記加工制御部は、前記記憶装置に記憶された前記特定ファイルにアクセス可能なアドレス情報が含まれる識別標識を前記被加工物に加工するように前記第１加工装置または前記第２加工装置を制御する、加工システム。
【請求項２】
前記記録装置は、前記依頼者映像を撮影すると共に前記音声を録音し、
前記特定ファイルは、前記第１映像および前記第２映像および前記依頼者映像および前記音声を含む、請求項１に記載の加工システム。
【請求項３】
前記第２加工装置による加工が完了することによって前記被加工物に対する全ての加工が完了するとき、
前記記録装置は、前記依頼者映像として前記第２加工装置による加工が完了した前記被加工物と前記依頼者とを同時に撮影すると共に前記音声を録音する、請求項２に記載の加工システム。
【請求項４】
前記記録装置は、前記依頼者映像として前記第１加工装置による加工が完了した前記被加工物と前記依頼者とを同時に撮影すると共に前記音声を録音する、請求項３に記載の加工システム。
【請求項５】
前記記録装置を、前記第１加工装置の側方および前記第２加工装置の側方に移動させる移動装置を備え、
前記制御装置は、前記被加工物に対する加工の進捗に基づいて、前記移動装置を制御する移動制御部を備えている、請求項１から４のいずれか一項に記載の加工システム。
【請求項６】
前記移動制御部は、前記被加工物が前記第１加工装置に配置されたときに前記移動装置を制御して前記記録装置を前記第１加工装置の側方に移動させ、かつ、前記被加工物が前記第２加工装置に配置されたときに前記移動装置を制御して前記記録装置を前記第２加工装置の側方に移動させる、請求項５に記載の加工システム。
【請求項７】
前記識別標識は、前記第２加工装置において前記被加工物を加工するときの基準として用いられ、
前記加工制御部は、前記識別標識が前記被加工物の所定の位置に加工されるように、前記第１加工装置を制御し、
前記第２加工装置は、前記識別標識の位置を検出する検出装置を備えている、請求項１から６のいずれか一項に記載の加工システム。
【請求項８】
前記識別標識は、二次元コードである、請求項１から７のいずれか一項に記載の加工システム。
【請求項９】
少なくとも第１加工装置および第２加工装置を用いて被加工物を加工することによって、加工成果物を製造する方法であって、
前記第１加工装置によって前記被加工物を加工する第１加工工程と、
前記第１加工装置による加工中および／または加工完了後における前記被加工物の静止画または動画である第１映像を撮影し、かつ、前記被加工物の加工を依頼した依頼者の静止画または動画である第１依頼者映像を撮影あるいは前記依頼者の第１音声を録音する第１記録工程と、
前記第１加工装置によって加工された前記被加工物を、前記第２加工装置によって加工する第２加工工程と、
前記第２加工装置による加工中および／または加工完了後における前記被加工物の静止画または動画である第２映像を撮影し、かつ、前記依頼者の静止画または動画である第２依頼者映像を撮影あるいは前記依頼者の第２音声を録音する第２記録工程と、
前記第１記録工程において撮影された前記第１映像および前記第１依頼者映像および録音された前記第１音声のいずれか２つと、前記第２記録工程において撮影された前記第２映像および前記第２依頼者映像および録音された前記第２音声のいずれか２つとをサーバーに送信し、前記第１映像および前記第１依頼者映像および前記第１音声のいずれか２つと、前記第２映像および前記第２依頼者映像および前記第２音声のいずれか２つとを含む特定ファイルを前記サーバーの記憶装置に記憶させる、記憶工程と、を包含し、
前記第１加工工程または前記第２加工工程において、前記記憶装置に記憶された前記特定ファイルにアクセス可能なアドレス情報が含まれる識別標識を前記被加工物に加工する、加工成果物の製造方法。
【請求項１０】
前記第１記録工程において、前記第１依頼者映像を撮影すると共に前記第１音声を録音し、
前記第２記録工程において、前記第２依頼者映像を撮影すると共に前記第２音声を録音し、
前記特定ファイルは、前記第１映像および前記第１依頼者映像および前記第１音声および前記第２映像および前記第２依頼者映像および前記第２音声を含む、請求項９に記載の製造方法。
【請求項１１】
前記第２記録工程において、前記第２依頼者映像として第２加工装置による加工が完了した前記被加工物と前記依頼者とを同時に撮影すると共に前記第２音声を録音する、請求項１０に記載の製造方法。
【請求項１２】
前記第１記録工程において、前記第１依頼者映像として第１加工装置による加工が完了した前記被加工物と前記依頼者とを同時に撮影する共に前記第１音声を録音する、請求項１１に記載の製造方法。
【請求項１３】
前記識別標識は、前記第２加工装置において前記被加工物を加工するときの基準として用いられ、
前記第２加工装置は、前記識別標識の位置を検出する検出装置を備え、
前記第１加工工程において、前記第１加工装置によって前記識別標識を前記被加工物の所定の位置に加工する、請求項９から１２のいずれか一項に記載の製造方法。
【請求項１４】
前記識別標識は、二次元コードである、請求項９から１３のいずれか一項に記載の製造方法。
【請求項１５】
被加工物を加工する第１加工装置と、
前記第１加工装置によって加工された前記被加工物を加工する第２加工装置と、
前記第１加工装置による加工中および／または加工完了後における前記被加工物の静止画または動画である第１映像を撮影し、かつ、少なくとも前記第２加工装置による加工が完了した前記被加工物の静止画または動画である第２映像を撮影し、かつ、前記被加工物の加工を依頼した依頼者の静止画または動画である依頼者映像を撮影あるいは前記依頼者の音声を録音する記録装置と、
前記第２加工装置による加工が完了した前記被加工物の形状である最終形状を記録する形状記録装置と、
前記記録装置によって撮影された前記第１映像および前記第２映像および前記依頼者映像および録音された前記音声のいずれか３つを含む特定ファイルを前記最終形状に関連付けた状態で記憶する記憶装置を有するサーバーと、
前記第１加工装置、前記第２加工装置、前記記録装置および前記形状記録装置を制御する制御装置を有する１つの操作端末と、を備えている、加工システム。
【請求項１６】
被加工物を加工する第１加工装置と、
前記第１加工装置によって加工された前記被加工物を加工する第２加工装置と、
前記第１加工装置による加工中および／または加工完了後における前記被加工物の静止画または動画である第１映像を撮影し、かつ、前記第２加工装置による加工中および／または加工完了後における前記被加工物の静止画または動画である第２映像を撮影し、かつ、前記被加工物の加工を依頼した依頼者の静止画または動画である依頼者映像を撮影あるいは前記依頼者の音声を録音する記録装置と、
前記記録装置によって撮影された前記第１映像および前記第２映像および前記依頼者映像および録音された前記音声のいずれか３つと、前記依頼者が予め用意した所定の静止画または動画である第３映像あるいは所定の音声とを含む特定ファイルを記憶する記憶装置を有するサーバーと、
前記第１加工装置、前記第２加工装置および前記記録装置を制御する制御装置を有する１つの操作端末と、を備え、
前記制御装置は、
前記第１加工装置および前記第２加工装置を制御する加工制御部と、
前記記録装置を制御する記録制御部と、を備え、
前記加工制御部は、前記記憶装置に記憶された前記特定ファイルにアクセス可能なアドレス情報が含まれる識別標識を前記被加工物に加工するように前記第１加工装置または前記第２加工装置を制御する、加工システム。
【請求項１７】
少なくとも第１加工装置および第２加工装置を用いて被加工物を加工することによって、加工成果物を製造する方法であって、
前記第１加工装置によって前記被加工物を加工する第１加工工程と、
前記第１加工装置による加工中および／または加工完了後における前記被加工物の静止画または動画である第１映像を撮影し、かつ、前記被加工物の加工を依頼した依頼者の静止画または動画である第１依頼者映像を撮影あるいは前記依頼者の第１音声を録音する第１記録工程と、
前記第１加工装置によって加工された前記被加工物を、前記第２加工装置によって加工する第２加工工程と、
前記第２加工装置による加工中および／または加工完了後における前記被加工物の静止画または動画である第２映像を撮影し、かつ、前記依頼者の静止画または動画である第２依頼者映像を撮影あるいは前記依頼者の第２音声を録音する第２記録工程と、
前記第１記録工程において撮影された前記第１映像および前記第１依頼者映像および録音された前記第１音声のいずれか２つと、前記第２記録工程において撮影された前記第２映像および前記第２依頼者映像および録音された前記第２音声のいずれか２つと、前記依頼者が予め用意した所定の静止画または動画である第３映像あるいは所定の音声とをサーバーに送信し、前記第１映像および前記第１依頼者映像および前記第１音声のいずれか２つと、前記第２映像および前記第２依頼者映像および前記第２音声のいずれか２つと、前記第３映像あるいは前記所定の音声とを含む特定ファイルを前記サーバーの記憶装置に記憶させる、記憶工程と、を包含し、
前記第１加工工程または前記第２加工工程において、前記記憶装置に記憶された前記特定ファイルにアクセス可能なアドレス情報が含まれる識別標識を前記被加工物に加工する、加工成果物の製造方法。
【請求項１８】
被加工物を加工する第１加工装置と、
前記第１加工装置によって加工された前記被加工物を加工する第２加工装置と、
前記被加工物の加工を依頼した依頼者の静止画または動画である依頼者映像を撮影あるいは前記依頼者の音声を録音する記録装置と、
前記記録装置によって撮影された前記依頼者映像および録音された前記音声のいずれかを含む特定ファイルを記憶する記憶装置を有するサーバーと、
前記第１加工装置、前記第２加工装置および前記記録装置を制御する制御装置を有する１つの操作端末と、を備え、
前記制御装置は、
前記第１加工装置および前記第２加工装置を制御する加工制御部と、
前記記録装置を制御する記録制御部と、を備え、
前記加工制御部は、前記記憶装置に記憶された前記特定ファイルにアクセス可能なアドレス情報が含まれる識別標識を前記被加工物に加工するように前記第１加工装置または前記第２加工装置を制御する、加工システム。
【請求項１９】
少なくとも第１加工装置および第２加工装置を用いて被加工物を加工することによって、加工成果物を製造する方法であって、
前記第１加工装置によって前記被加工物を加工する第１加工工程と、
前記第１加工装置によって加工された前記被加工物を、前記第２加工装置によって加工する第２加工工程と、
前記依頼者の静止画または動画である依頼者映像を撮影あるいは前記依頼者の音声を録音する記録工程と、
前記記録工程において撮影された前記依頼者映像または録音された前記音声をサーバーに送信し、前記依頼者映像または前記音声を含む特定ファイルを前記サーバーの記憶装置に記憶させる、記憶工程と、を包含し、
前記第１加工工程または前記第２加工工程において、前記記憶装置に記憶された前記特定ファイルにアクセス可能なアドレス情報が含まれる識別標識を前記被加工物に加工する、加工成果物の製造方法。
【発明の詳細な説明】
【技術分野】
【０００１】
本発明は、複数の加工装置を備えた加工システムおよび加工成果物の製造方法に関する。
【背景技術】
【０００２】
従来から、記録紙や布等の被加工物に画像等を印刷する印刷装置や、意匠性の向上等を目的として被加工物に刺繍を施す刺繍機および被加工物に箔転写する箔転写装置等の加工装置が用いられている。そして、１つの被加工物に対して複数の加工装置によって加工を施すことが行われている。例えば、上記加工装置のうち印刷装置および刺繍機を用いて被加工物としてのＴシャツに画像を印刷した後に追加で刺繍を施すこと等が挙げられる。
【発明の概要】
【発明が解決しようとする課題】
【０００３】
ところで、複数の加工装置を用いて被加工物を加工し、完成した加工成果物を贈り物として送ることがある。このとき、送り主（被加工物の加工を依頼した依頼主、即ち加工成果物の作製を依頼した依頼者）は、例えば、加工成果物に送り主の写真や手書きのメッセージ等を添えることがある。受取人は、加工成果物を手にすることができると共に、送り主のメッセージ等を手元に残すことができるが、送り主が、どのような思いで加工成果物を準備したのかを詳細に伝えることが困難であった。
【０００４】
本発明はかかる点に鑑みてなされたものであり、その目的は、複数の加工装置を用いて加工成果物を製造するときに依頼者の思いをよりよく伝達できる加工成果物を作製可能な加工システムおよび加工成果物の製造方法を提供することである。
【課題を解決するための手段】
【０００５】
本発明に係る加工システムは、被加工物を加工する第１加工装置と、前記第１加工装置によって加工された前記被加工物を加工する第２加工装置と、前記第１加工装置による加工中および／または加工完了後における前記被加工物の静止画または動画である第１映像を撮影し、かつ、前記第２加工装置による加工中および／または加工完了後における前記被加工物の静止画または動画である第２映像を撮影し、かつ、前記被加工物の加工を依頼した依頼者の静止画または動画である依頼者映像を撮影あるいは前記依頼者の音声を録音する記録装置と、前記記録装置によって撮影された前記第１映像および前記第２映像および前記依頼者映像および録音された前記音声のいずれか３つを含む特定ファイルを記憶する記憶装置を有するサーバーと、前記第１加工装置、前記第２加工装置および前記記録装置を制御する制御装置を有する１つの操作端末と、を備え、前記制御装置は、前記第１加工装置および前記第２加工装置を制御する加工制御部と、前記記録装置を制御する記録制御部と、を備え、前記加工制御部は、前記記憶装置に記憶された前記特定ファイルにアクセス可能なアドレス情報が含まれる識別標識を前記被加工物に加工するように前記第１加工装置または前記第２加工装置を制御する。
【０００６】
本発明の加工システムによると、第１加工装置および第２加工装置によって被加工物が加工され、かつ、第１加工装置または第２加工装置によって被加工物に識別標識が加工される。これにより、加工成果物が製造される。ここで、識別標識には、サーバーの記憶装置に記憶された特定ファイルにアクセス可能なアドレス情報が含まれている。このため、加工成果物を受け取った受取主は、被加工物に加工された識別標識から取得されたアドレス情報に基づいてサーバーに記憶された特定ファイルにアクセスすることで、記録装置によって撮影された第１映像、第２映像、依頼者映像および録音された音声を確認することができる。ここで、記録装置によって撮影された映像および録音された音声には、第１加工装置によって加工された被加工物等、第２加工装置によって加工された被加工物等や依頼者が含まれる。このため、第１加工装置および第２加工装置によって製造される加工成果物の製作過程の様子や、該製作過程における依頼者の気持ち等を映像や音声に含めることができる。これにより、加工成果物を受け取った受取主には、依頼者の思いをよりよく伝達することができる。
【０００７】
本発明に係る加工成果物の製造方法は、少なくとも第１加工装置および第２加工装置を用いて被加工物を加工することによって、加工成果物を製造する方法であって、前記第１加工装置によって前記被加工物を加工する第１加工工程と、前記第１加工装置による加工中および／または加工完了後における前記被加工物の静止画または動画である第１映像を撮影し、かつ、前記被加工物の加工を依頼した依頼者の静止画または動画である第１依頼者映像を撮影あるいは前記依頼者の第１音声を録音する第１記録工程と、前記第１加工装置によって加工された前記被加工物を、前記第２加工装置によって加工する第２加工工程と、前記第２加工装置による加工中および／または加工完了後における前記被加工物の静止画または動画である第２映像を撮影し、かつ、前記依頼者の静止画または動画である第２依頼者映像を撮影あるいは前記依頼者の第２音声を録音する第２記録工程と、前記第１記録工程において撮影された前記第１映像および前記第１依頼者映像および録音された前記第１音声のいずれか２つと、前記第２記録工程において撮影された前記第２映像および前記第２依頼者映像および録音された前記第２音声のいずれか２つとをサーバーに送信し、前記第１映像および前記第１依頼者映像および前記第１音声のいずれか２つと、前記第２映像および前記第２依頼者映像および前記第２音声のいずれか２つとを含む特定ファイルを前記サーバーの記憶装置に記憶させる、記憶工程と、を包含し、前記第１加工工程または前記第２加工工程において、前記記憶装置に記憶された前記特定ファイルにアクセス可能なアドレス情報が含まれる識別標識を前記被加工物に加工する。
【０００８】
本発明の製造方法によると、第１加工工程および第２加工工程において被加工物が加工され、かつ、第１加工工程または第２加工工程において、被加工物に識別標識が加工される。これにより、加工成果物が製造される。ここで、識別標識には、サーバーの記憶装置に記憶された特定ファイルにアクセス可能なアドレス情報が含まれている。このため、加工成果物を受け取った受取主は、被加工物に加工された識別標識から取得されたアドレス情報に基づいてサーバーに記憶された特定ファイルにアクセスすることで、撮影された第１映像、第２映像、第１依頼者映像、第２依頼者映像および録音された第１音声や第２音声を確認することができる。ここで、第１記録工程および第２記録工程において撮影された映像および録音された音声には、第１加工装置によって加工された被加工物等、第２加工装置によって加工された被加工物等や依頼者が含まれる。このため、第１加工装置および第２加工装置によって製造される加工成果物の製作過程（第１加工工程や第２加工工程）の様子や、該製作過程における依頼者の気持ち等を映像や音声に含めることができる。これにより、加工成果物を受け取った受取主には、依頼者の思いをよりよく伝達することができる。
【発明の効果】
【０００９】
本発明によれば、複数の加工装置を用いて加工成果物を得るときに依頼主の思いをよりよく伝達できる加工成果物を作製可能な加工システムおよび加工成果物の製造方法を提供することができる。
【図面の簡単な説明】
【００１０】
【図１】一実施形態に係る加工システムの構成例を示す概要図である。
【図２】被加工物に画像および識別標識が加工された加工成果物の例を示す模式図である。
【図３】一実施形態に係る加工システムのブロック図である。
【図４】複数の加工装置を用いて加工成果物を製造する手順を示したフローチャートである。
【図５】複数のオブジェクトを有する画像の一例である。
【図６】中間成果物の例を示す模式図である。
【発明を実施するための形態】
【００１１】
以下、図面を参照しながら、本発明の一実施形態に係る加工システムを説明する。なお、ここで説明される実施形態は、当然ながら本発明を限定することを意図したものではない。また、同じ作用を奏する部材・部位には同じ符号を付し、重複する説明は適宜省略または簡略化する。
【００１２】
図１に示すように、加工システム１０は、被加工物５（図２参照）を加工する複数の加工装置２０と、一つの操作端末４０と、ビデオカメラ１５と、サーバー７０とを備えている。複数の加工装置２０と操作端末４０とは、それぞれ有線通信が可能にラインＬにより接続されている。なお、加工装置２０と操作端末４０とは、それぞれ無線による通信も可能である。操作端末４０と、ビデオカメラ１５と、サーバー７０とは、ルーター（図示せず）を通じて構築される無線通信ネットワークによって相互に情報通信が可能な状態で接続されている。サーバー７０は、所定の情報を記憶する大容量の記憶装置７２を備えている。ビデオカメラ１５は、記録装置の一例である。ビデオカメラ１５は、加工装置２０の外側に配置されたリング状のガイドレール１８に摺動自在に設けられたキャリッジ１７に搭載されている。キャリッジ１７は、図示しない駆動モータによって移動可能に構成されている。キャリッジ１７がガイドレール１８に沿って移動することによって、ビデオカメラ１５は加工装置２０の周囲を移動可能に構成されている。キャリッジ１７は、移動装置の一例である。
【００１３】
被加工物５は、例えば、記録紙などの平面シートであってもよいし、携帯電話ケースなどの各種ケース、電子タバコなどの小型電子機器、キーホルダやフォトフレームやペンなどの部品小物、日用品、アクセサリなどの立体物であってもよい。被加工物５の素材は、普通紙、画用紙、和紙やインクジェット用印刷紙などの紙類はもちろんのこと、ポリ塩化ビニル（ＰＶＣ）、ポリエチレンテレフタレート（ＰＥＴ）、アクリル樹脂、ポリカーボネート（ＰＣ）、ポリスチレン、アクリロニトリル・ブタジエン・スチレン（ＡＢＳ）共重合体などの樹脂材料、金、銀、銅、プラチナ、真鍮、アルミ、鉄、チタン、ステンレス等の金属材料、綿、麻、絹等の天然繊維やナイロン、ポリエステル等の化学繊維等から構成された布、カーボン、陶器、セラミック、ガラス、ゴム、皮革、木材板などであってもよい。なお、上述した加工装置２０の中には、被加工物５の材料や形状によっては被加工物５に加工を施すことができないものも存在し得る。
【００１４】
加工装置２０は、被加工物５（図２参照）を加工する。本実施形態の加工システム１０は、加工装置２０として、印刷装置２０Ａと、切断装置２０Ｂと、箔押装置２０Ｃと、切削装置２０Ｄと、刺繍装置２０Ｅと、三次元造形装置２０Ｆとを備えている。加工装置２０の配置は特に限定されない。本実施形態では、加工装置２０は、同心円状に配置されている。加工装置２０は、それぞれ後述する検出センサ４８（図３参照）を備えている。加工装置２０は、加工する被加工物５を保持する専用の治具を備え得る。
【００１５】
印刷装置２０Ａは、被加工物５に所定の画像を印刷する装置である。印刷装置２０Ａとしては、例えば、インクジェット方式により被加工物５上に所定の印刷を行うインクジェットプリンタ等が挙げられる。インクジェットプリンタから吐出されるインクの材料は何ら限定されず、従来からインクジェットプリンタのインクの材料として用いられている各種の材料を使用することができる。上記インクは、例えば、ソルベント系（溶剤系）顔料インクや水性顔料インクであってもよいし、水性インク、あるいは、紫外線を受けて硬化する紫外線硬化型顔料インク等であってもよい。印刷装置２０Ａは、後述する識別標識９（図２参照）を被加工物５に印刷することができる。被加工物５に所定の画像を印刷する行為は、被加工物５を加工する行為の一例である。
【００１６】
切断装置２０Ｂは、被加工物５を所定の形状に切断する装置である。切断装置２０Ｂとしては、例えば、被加工物５に対して二次元的に相対移動可能なカッターを備えたカッティング装置等が挙げられる。被加工物５を所定の形状に切断する行為は、被加工物５を加工する行為の一例である。
【００１７】
箔押装置２０Ｃは、被加工物５に箔を転写する装置である。箔押装置２０Ｃとして、例えば、熱転写装置等が挙げられる。熱転写装置は、被加工物５にシート状の熱転写箔を重ねた状態で、所定の箔転写用ツールによって熱転写箔を押圧および加熱することにより、被加工物の表面に熱転写箔中の装飾層（即ち箔）を付与する装置である。箔押装置２０Ｃは、後述する識別標識９（図２参照）を被加工物５に箔転写により形成することができる。被加工物５に箔を転写する行為は、被加工物５を加工する行為の一例である。
【００１８】
切削装置２０Ｄは、被加工物５に切削加工を施し、被加工物５を所定の形状に加工する装置である。切削装置２０Ｄとしては、例えば、被加工物５に対して三次元的に相対移動可能な加工ツールを備えた切削加工装置等が挙げられる。被加工物５に切削加工を施し、被加工物５を所定の形状に加工する行為は、被加工物５を加工する行為の一例である。
【００１９】
刺繍装置２０Ｅは、被加工物５に刺繍糸および刺繍針を使用して装飾を施す装置である。刺繍装置２０Ｅは、後述する識別標識９（図２参照）を被加工物５に刺繍により形成することができる。被加工物５に刺繍糸および刺繍針を使用して装飾を施す行為は、被加工物５を加工する行為の一例である。
【００２０】
三次元造形装置２０Ｆは、被加工物５に所定の形状の三次元造形物を加工する装置である。三次元造形装置２０Ｆとしては、例えば、熱可塑性樹脂を軟化させたのちに硬化させることで硬化層を順次形成して三次元造形物を造形する装置や、液体の光硬化性樹脂に光を照射させて光硬化性樹脂を硬化させることで硬化層を順次形成して三次元造形物を造形する装置や、粉末材料に硬化液（バインダ液）を吐出させて粉末材料を硬化させることで硬化層を順次形成して三次元造形物を造形する装置等が挙げられる。被加工物５に所定の形状の三次元造形物を加工する行為は、被加工物５を加工する行為の一例である。
【００２１】
検出センサ４８は、被加工物５を加工するための基準となる後述する識別標識９（図２参照）の位置を検出する。検出センサ４８は、検出装置の一例である。検出センサ４８の種類は特に限定されず、光学式センサ等の従来から用いられている各種のセンサを好適に利用することができる。本実施形態では、加工装置２０の全てが検出センサ４８を備えている。なお、検出センサ４８に代えて後述するビデオカメラ１５を用いて被加工物５に形成された識別標識９の位置を検出してもよい。この場合、ビデオカメラ１５によって撮影された画像（動画の一部）に対する画像処理によって、識別標識９の位置が検出される。
【００２２】
図３に示すように、操作端末４０は、複数の加工装置２０を制御する制御装置５０を有する。制御装置５０は、プログラムに従って所定の処理を実行する。制御装置５０は、加工装置２０に接続されている。制御装置５０は、後述する画像データに基づいて作成された複数の専用データや後述する識別標識データに基づいて作成された基準データを加工装置２０に送信する。操作端末４０は、ディスプレイ等からなる表示装置４２（図１も参照）と、キーボードやタッチパネル、マウス等からなる入力装置４４（図１も参照）とを備えている。表示装置４２は、画像データに基づく画像８（図２参照）や識別標識データに基づく識別標識９（図２参照）等を表示する。
【００２３】
制御装置５０は、典型的にはコンピュータである。制御装置５０は、例えば、外部の端末から画像データを受信するインターフェイス（Ｉ／Ｆ）と、制御プログラムの命令を実行する中央演算処理装置（ＣＰＵ：central processing unit）と、ＣＰＵが実行するプログラムを格納したＲＯＭ（read only memory）と、プログラムを展開するワーキングエリアとして使用されるＲＡＭ（random access memory）と、上記プログラムや各種データを格納するメモリなどの記憶装置とを備えている。図３に示すように、制御装置５０は、記憶部５２と、第１選択部５４と、選別部５６と、第２選択部５８と、データ作成部６２と、設定部６４と、加工制御部６６と、記録制御部６８と、移動制御部６９とを備えている。これら各部は、プログラムによって実現されている。このプログラムは、例えばＣＤやＤＶＤなどの記録媒体から読み込まれる。なお、このプログラムは、インターネットを通じてダウンロードされるものであってもよい。また、これら各部は、プロセッサおよび／または回路などによって実現可能なものであってもよい。なお、上述した各部の具体的な制御などについては後述する。
【００２４】
次に、複数の加工装置２０を用いて被加工物５を加工する手順について説明する。図４は、一実施形態に係る加工成果物５Ｘ（図２参照）を製造する手順を示したフローチャートである。以下の例では、印刷装置２０Ａおよび箔押装置２０Ｃを用いて被加工物５としての携帯電話ケースを加工する場合について説明する。ここでは、印刷装置２０Ａは第１加工装置の一例であり、箔押装置２０Ｃは第２加工装置の一例である。
【００２５】
まず、ステップＳ１０において、操作端末４０に画像データおよび識別標識データを取り込む。取り込まれた画像データおよび識別標識データは、記憶部５２に記憶される。画像データは、二次元の画像を表すデータや三次元の画像を表すデータを含む。画像データは、複数の加工装置２０によって被加工物５に加工される画像に対応する。画像は、複数の加工装置２０において被加工物５にそれぞれ加工される複数のオブジェクトを有する。画像は、異なる加工装置２０でそれぞれ加工される少なくとも２つのオブジェクトを有する。図５は、複数の加工装置２０によって被加工物５に加工される画像８の一例である。図５に示すように、画像８は、りんごのイラストとして識別される第１オブジェクト８Ａと、「ＡＰＰＬＥ」の文字列として識別される第２オブジェクト８Ｂと、「ＡＰＰＬＥ」の文字列を囲う枠として識別される第３オブジェクト８Ｃと、を有している。画像８は、作業者が操作端末４０または外部のコンピュータにインストールされたソフトウェアを用いることによって任意に作成することができる。即ち、作業者は複数のオブジェクトを有する所望の画像を作成することができる。オブジェクトには、イラスト、写真、文字、図形、記号等が含まれる。
【００２６】
識別標識データは、二次元の識別標識９（図２参照）を表すデータを含む。識別標識９には、サーバー７０の記憶装置７２に記憶された後述する映像および音声にアクセス可能なアドレス情報が含まれる。識別標識９は、例えば、画像８を含む矩形領域８Ｈ（図２参照）の四隅の外側にそれぞれ設けられる。識別標識９としては、ＱＲコード（登録商標）等の二次元コードが挙げられる。
【００２７】
次に、ステップＳ２０において、第１選択部５４は、複数の加工装置２０において加工される被加工物５の種類を選択する。被加工物５の種類は、予め記憶部５２に記憶されており、新たに追加することもできる。被加工物５の種類の選択は、例えば、作業者が表示装置４２に表示された被加工物５のリストから入力装置４４を用いて所望の被加工物５を選択することによって行われる。
【００２８】
次に、ステップＳ３０において、被加工物５を加工する加工装置２０が設定される。選別部５６は、第１選択部５４によって選択された被加工物５を加工可能な加工装置２０を選別する。記憶部５２には、被加工物５の種類と、被加工物５を加工することができる加工装置２０とが関連付けられて記憶されている。例えば、被加工物５として布が選択された場合には選別部５６によって刺繍装置２０Ｅは選別されるが、被加工物５として金属材料が選択された場合には選別部５６によって刺繍装置２０Ｅは選別されない。
【００２９】
第２選択部５８は、選別部５６によって選別された加工装置２０の中から、オブジェクトごとに被加工物５を加工可能な加工装置２０を選択する。そして、オブジェクトごとに加工する加工装置２０の選択は、例えば、作業者が表示装置４２に表示された加工装置２０のリストから入力装置４４を用いて所望の加工装置２０を選択することによって行われる。作業者は、例えば、第１オブジェクト８Ａおよび第２オブジェクト８Ｂを印刷装置２０Ａによって加工し、第３オブジェクト８Ｃを箔押装置２０Ｃによって加工することを選択する。
【００３０】
ステップＳ４０において、データ作成部６２は、画像に含まれるオブジェクトをオブジェクトが加工される加工装置２０において処理可能なデータに変換して、専用データを作成する。データ作成部６２は、オブジェクトごとに専用データを作成する。図５に示す例において、第１オブジェクト８Ａおよび第２オブジェクト８Ｂを印刷装置２０Ａによって加工し、第３オブジェクト８Ｃを箔押装置２０Ｃによって加工しようとすると、データ作成部６２は、第１オブジェクト８Ａおよび第２オブジェクト８Ｂを印刷装置２０Ａにおいて処理可能なデータ（例えばラスター形式により表されるラスターデータ）に変換して、印刷装置２０Ａにおいて用いられる専用データをそれぞれ作成する。また、データ作成部６２は、第３オブジェクト８Ｃを箔押装置２０Ｃにおいて処理可能なデータ（例えばベクター形式により表されるベクターデータ）に変換して、箔押装置２０Ｃにおいて用いられる専用データを作成する。このように、データ作成部６２は、１つの画像データから複数の専用データを作成する。
【００３１】
ここで、各専用データは、各加工装置２０の原点および座標軸に基づいて作成される。記憶部５２には、取り込まれた画像データにおける原点および座標軸と、各加工装置２０における原点および座標軸との関係が記憶されている。例えば、各加工装置２０における加工処理可能領域の中心点を基準として、中心点から前後上下左右の相対位置として各加工装置２０の原点が認識される。座標軸については、画像データの長さ単位に対する各加工装置２０の長さ単位の比率に基づいて認識される。これにより、異なる加工装置２０間で被加工物５の位置合わせが可能となる。
【００３２】
また、データ作成部６２は、識別標識データを、複数の加工装置２０のうち設定部６４によって設定された順番に基づいて最初に被加工物５を加工する加工装置２０において処理可能なデータに変換して、基準データを作成する。例えば、最初に印刷装置２０Ａによって第１オブジェクト８Ａおよび第２オブジェクト８Ｂを被加工物５に加工し、次に、箔押装置２０Ｃによって第３オブジェクト８Ｃを被加工物５に加工する場合には、データ作成部６２は、印刷装置２０Ａにおいて識別標識データを処理可能なデータに変換して、基準データを作成する。
【００３３】
設定部６４は、複数の加工装置２０を稼働させる順番を設定する。本実施形態では、設定部６４は、被加工物５を加工する際に用いられる複数の加工装置２０に基づいて、上記順番を自動的に設定する。設定部６４は、第２選択部５８によって選択された複数の加工装置２０に基づいて、上記順番を自動的に設定する。例えば、記憶部５２には、複数の加工装置２０を稼働させる最適な順番が予め記憶されており、予め記憶された順番と被加工物５を実際に加工する際に用いる加工装置２０とを比較することによって、順番が自動的に設定される。図５に示す例において、例えば、最初に印刷装置２０Ａによって第１オブジェクト８Ａおよび第２オブジェクト８Ｂが被加工物５に加工され、その後、箔押装置２０Ｃによって第３オブジェクト８Ｃが被加工物５に加工されるという順番が設定される。なお、上記順番は、作業者が手動によって適宜設定してもよい。例えば、作業者が表示装置４２に表示される画面において入力装置４４を用いて上記順番を任意に設定してもよい。
【００３４】
ステップＳ５０において、加工制御部６６は、データ作成部６２において作成された複数の専用データを、専用データを処理可能な加工装置２０にそれぞれ送信する。加工制御部６６は、複数の専用データを被加工物５の加工に用いられる複数の加工装置２０に一括で送信してもよいし、設定された順番に基づいて被加工物５が加工される前に加工装置２０に順に送信してもよい。図５に示す例において、第１オブジェクト８Ａおよび第２オブジェクト８Ｂを印刷装置２０Ａによって加工する場合、データ作成部６２によって作成された第１オブジェクト８Ａおよび第２オブジェクト８Ｂの専用データを印刷装置２０Ａに送信する。また、第３オブジェクト８Ｃを箔押装置２０Ｃによって加工する場合、データ作成部６２によって作成された第３オブジェクト８Ｃの専用データを箔押装置２０Ｃに送信する。さらに、識別標識９を印刷装置２０Ａによって加工する場合、データ作成部６２によって作成された識別標識９の基準データを印刷装置２０Ａに送信する。
【００３５】
加工制御部６６は、設定部６４によって設定された順番に基づいて複数の加工装置２０をそれぞれ順番に制御する。なお、一つの加工装置２０において、被加工物５に２以上のオブジェクトが加工される場合、被加工物５に対してオブジェクトを１つずつ加工してもよい。即ち、第１オブジェクト８Ａの加工が完了した後に、第２オブジェクト８Ｂの加工を開始してもよい。また、被加工物５に対して２以上のオブジェクトを一括で加工してもよい。即ち、第１オブジェクト８Ａの加工と第２オブジェクト８Ｂの加工とを１つの処理で同時に行ってもよい。ステップＳ６０では、加工制御部６６は、専用データに基づいて印刷装置２０Ａを制御して、被加工物５に第１オブジェクト８Ａおよび第２オブジェクト８Ｂを加工（即ち印刷）する。また、加工制御部６６は、基準データに基づいて印刷装置２０Ａを制御して、被加工物５に識別標識９を加工（即ち印刷）する。ステップＳ６０は、第１加工工程の一例である。
【００３６】
ステップＳ７０において、記録制御部６８は、ビデオカメラ１５を制御して、加工装置２０による加工中および／または加工完了後における被加工物５の静止画または動画である第１映像と、被加工物５の加工を依頼した依頼者の静止画または動画である第１依頼者映像とを撮影し、かつ、依頼者の第１音声を録音する。加工装置２０による加工中および／または加工完了後における被加工物５の静止画または動画である第１映像の撮影には、加工装置２０による加工中の被加工物５の第１映像のみを撮影する場合と、加工装置２０による加工完了後の被加工物５の第１映像のみを撮影する場合と、加工装置２０による加工中の被加工物５および加工装置２０による加工完了後の被加工物５の第１映像を撮影する場合とが含まれる。ここでは、例えば、ビデオカメラ１５によって、印刷装置２０Ａによる印刷中の被加工物５の動画である第１映像を撮影し、第１依頼者映像として印刷装置２０Ａによる印刷が完了した後に被加工物５にオブジェクト８Ａ、オブジェクト８Ｂおよび識別標識９が印刷された中間成果物５Ａ（図６参照）と、依頼者との動画を同時に撮影しかつ依頼者の第１音声を録音する。例えば、依頼者が中間成果物５Ａを手にした状態で、ビデオカメラ１５によって第１依頼者映像の撮影および第１音声の録音が行われる。ステップＳ７０は、第１記録工程の一例である。
【００３７】
移動制御部６９は、キャリッジ１７（図１参照）を制御して、ビデオカメラ１５を加工装置２０の側方に移動させる。移動制御部６９は、被加工物５に対する加工の進捗に基づいて、キャリッジ１７を制御する。ステップＳ７０では、移動制御部６９は、印刷装置２０Ａに被加工物５が配置されたときに、キャリッジ１７を制御してビデオカメラ１５を印刷装置２０Ａの側方に移動させる。印刷装置２０Ａの側方に移動されたビデオカメラ１５は、印刷装置２０Ａによる被加工物５への印刷の様子を第１映像として撮影することができる。
【００３８】
ステップＳ８０では、加工制御部６６は、専用データに基づいて箔押装置２０Ｃを制御して、被加工物５に第３オブジェクト８Ｃを加工する。これにより、被加工物５への加工が完了する。ここで、箔押装置２０Ｃにおいて第３オブジェクト８Ｃが加工される前に、箔押装置２０Ｃに設けられた検出センサ４８によって、識別標識９の位置が検出される。識別標識９は、各加工装置２０において被加工物５を加工するための基準であるため、検出センサ４８によって識別標識９が検出されることによって、異なる加工装置間２０において被加工物５の位置合わせを容易に行うことができる。ステップＳ８０は、第２加工工程の一例である。
【００３９】
ステップＳ９０において、記録制御部６８は、ビデオカメラ１５を制御して、加工装置２０による加工中および／または加工完了後における被加工物５の静止画または動画である第２映像と、被加工物５の加工を依頼した依頼者の静止画または動画である第２依頼者映像とを撮影し、かつ、依頼者の第２音声を録音する。加工装置２０による加工中および／または加工完了後における被加工物５の静止画または動画である第２映像の撮影には、加工装置２０による加工中の被加工物５の第２映像のみを撮影する場合と、加工装置２０による加工完了後の被加工物５の第２映像のみを撮影する場合と、加工装置２０による加工中の被加工物５および加工装置２０による加工完了後の被加工物５の第２映像を撮影する場合とが含まれる。ここでは、例えば、ビデオカメラ１５によって、箔押装置２０Ｃによる箔押し中の被加工物５の動画である第２映像を撮影し、第２依頼者映像として箔押装置２０Ｃによる箔押しが完了した後に被加工物５に画像８および識別標識９が加工された加工成果物５Ｘ（図２参照）と、依頼者との動画を同時に撮影しかつ依頼者の第２音声を録音する。例えば、依頼者が加工成果物５Ｘを手にした状態で、ビデオカメラ１５によって第２依頼者映像の撮影および第２音声の録音が行われる。ステップＳ９０は、第２記録工程の一例である。
【００４０】
ステップＳ９０では、移動制御部６９は、箔押装置２０Ｃに被加工物５が配置されたときに、キャリッジ１７を制御してビデオカメラ１５を箔押装置２０Ｃの側方に移動させる。箔押装置２０Ｃの側方に移動されたビデオカメラ１５は、箔押装置２０Ｃによる被加工物５への箔押しの様子を第２映像として撮影することができる。
【００４１】
ステップＳ１００では、ステップＳ７０およびステップＳ９０においてビデオカメラ１５によって撮影された第１映像、第１依頼者映像、第２映像および第２依頼者映像、および録音された第１音声および第２音声がサーバー７０に送信され、特定ファイルとして記憶装置７２に記憶される。特定ファイルは、第１映像、第１依頼者映像、第２映像、第２依頼者映像、第１音声および第２音声を含む。なお、上記各映像および各音声は、ビデオカメラ１５から直接サーバー７０に送信されてもよいし、操作端末４０を介してサーバー７０に送信されてもよい。記憶装置７２に記憶されるとき、上記各映像および各音声を含む特定ファイルが識別標識９に含まれるアドレス情報と関連付けられる。ステップＳ１００は、記憶工程の一例である。
【００４２】
加工装置２０による加工により完成した加工成果物５Ｘには、識別標識９が設けられている。ここで、識別標識９は、リーダー（図示しない）によって読み取り可能に構成されている。リーダーとしては、二次元コードを読み取ることができる二次元コードリーダが挙げられる。識別標識９がＱＲコード（登録商標）の場合には、リーダーはＱＲコード（登録商標）に対応するリーダーである。加工成果物５Ｘを受け取った受取主は、リーダーによって識別標識９から取得されたアドレス情報に基づいてサーバー７０に記憶された特定ファイルにアクセスすることができる。特定ファイルは、サーバー７０の記憶装置７２に記憶されている。特定ファイルは、識別標識９に関連付けられている。このため、受取主は、特定ファイルに含まれる上記各映像や上記各音声を介して、加工成果物５Ｘの製作過程の様子や製作時の依頼主の思いを確認することができる。
【００４３】
本実施形態の加工システム１０によると、印刷装置２０Ａおよび箔押装置２０Ｃによって被加工物５が加工され、かつ、印刷装置２０Ａによって被加工物５に識別標識９が加工される。これにより、加工成果物５Ｘが製造される。ここで、識別標識９には、サーバー７０の記憶装置７２に記憶された特定ファイルにアクセス可能なアドレス情報が含まれている。このため、加工成果物５Ｘを受け取った受取主は、被加工物５に加工された識別標識９から取得されたアドレス情報に基づいてサーバー７０に記憶された特定ファイルにアクセスすることで、ビデオカメラ１５によって記録された映像および音声を確認することができる。ここで、ビデオカメラ１５によって撮影された映像および録音された音声には、印刷装置２０Ａによって加工された被加工物５等、箔押装置２０Ｃによって加工された被加工物５等や依頼者が含まれる。このため、印刷装置２０Ａおよび箔押装置２０Ｃによって製造される加工成果物５Ｘの製作過程の様子や、該製作過程における依頼者の気持ち等を映像や音声に含めることができる。これにより、加工成果物５Ｘを受け取った受取主には、依頼者の思いをよりよく伝達することができる。
【００４４】
本実施形態の加工システム１０によれば、ビデオカメラ１５は、第１依頼者映像を撮影すると共に第１音声を録音し、第２依頼者映像を撮影すると共に第２音声を録音する。特定ファイルは、第１映像、第１依頼者映像、第１音声、第２映像、第２依頼者映像および第２音声を含む。このように、特定ファイルには、依頼者の映像と共に依頼者の音声が含まれるため、依頼者の思いをよりよく伝達することができる。
【００４５】
本実施形態の加工システム１０によれば、箔押装置２０Ｃによる加工が完了することによって被加工物５に対する全ての加工が完了して加工成果物５Ｘが製造される。このとき、ビデオカメラ１５は、第２依頼者映像として箔押装置２０Ｃによる加工が完了した被加工物５（即ち加工成果物５Ｘ）と依頼者とを同時に撮影すると共に第２音声を録音する。これにより、加工成果物５Ｘが製造された直後の依頼者の思いを加工成果物５Ｘと共に映像および音声に記録することができる。
【００４６】
本実施形態の加工システム１０によれば、ビデオカメラ１５は、第１依頼者映像として印刷装置２０Ａによる加工が完了した被加工物５（即ち中間成果物５Ａ）と依頼者とを同時に撮影すると共に第１音声を録音する。これにより、中間成果物５Ａが製造された直後の依頼者の思いを中間成果物５Ａと共に映像および音声に記録することができる。
【００４７】
本実施形態の加工システムによれば、制御装置５０の移動制御部６９は、被加工物５に対する加工の進捗に基づいて、キャリッジ１７を制御する。このように、被加工物５に対する加工の進捗状況に基づいてビデオカメラ１５が移動されるので、印刷装置２０Ａおよび箔押装置２０Ｃのそれぞれにビデオカメラ１５を設けなくてもよい。
【００４８】
本実施形態の加工システム１０によれば、移動制御部６９は、被加工物５が印刷装置２０Ａに配置されたときにキャリッジ１７を制御してビデオカメラ１５を印刷装置２０Ａの側方に移動させる。これにより、印刷装置２０Ａにおける被加工物５の製作過程の記録を確実に行うことができる。また、移動制御部６９は、被加工物５が箔押装置２０Ｃに配置されたときにキャリッジ１７を制御してビデオカメラ１５を箔押装置２０Ｃの側方に移動させる。これにより、箔押装置２０Ｃにおける被加工物５の製作過程の記録を確実に行うことができる。
【００４９】
本実施形態の加工システム１０によれば、加工制御部６６は、識別標識９が被加工物５の所定の位置に加工されるように、印刷装置２０Ａを制御する。ここで、箔押装置２０Ｃは、識別標識９の位置を検出する検出センサ４８を備えている。識別標識９は、箔押装置２０Ｃにおいて被加工物５を加工するときの基準として用いることができるため、検出センサ４８によって識別標識９を検出することによって、異なる加工装置２０間において被加工物５の位置合わせを容易に行うことができる。
【００５０】
本実施形態の加工システムによれば、識別標識９は、二次元コードである。二次元コードを用いることによって、識別標識９にアドレス情報を含ませることができる。
【００５１】
以上、本発明の好適な実施形態について説明した。しかし、上述の実施形態は例示に過ぎず、本発明は他の種々の形態で実施することができる。
【００５２】
上述した実施形態では、１つのビデオカメラ１５がガイドレール１８に沿って移動することによって、各加工装置２０における被加工物５の製作過程の記録を行うように構成されていたが、これに限定されない。例えば、各加工装置２０がそれぞれビデオカメラ１５を備えていてもよい。これにより、加工装置２０毎にビデオカメラ１５を設置することができるため、より撮影に適した位置に配置することができる。例えば、ビデオカメラ１５を加工装置２０内に配置することによって、被加工物５の加工の様子をより詳細に記録することができる。
【００５３】
３以上の加工装置２０を用いて被加工物５を加工するときには、２つ以上の中間成果物５Ａと１つの加工成果物５Ｘが得られることになる。この場合、ビデオカメラ１５によって少なくとも１つの中間成果物５Ａと加工成果物５Ｘと依頼者との映像等を記録するとよい。
【００５４】
上述した実施形態では、加工装置２０は、同心円状に配置され、ガイドレール１８がリング状に形成されていたが、これに限定されない。例えば、加工装置２０は、直線状に配置されており、ガイドレール１８も直線状に形成されていてもよい。
【００５５】
上述した実施形態では、識別標識９を各加工装置２０における被加工物５の位置合わせに用いていたため、識別標識９は画像８を含む矩形領域８Ｈの四隅の外側に用いられていた。しかし、上記位置合わせに用いる必要がない場合には、識別標識９を形成する場所は特に限定されない。例えば、被加工物５の端部等の比較的目立ちにくい部分に形成してもよい。また、識別標識９を上記位置合わせに用いる必要がない場合には、識別標識９を加工するタイミングは特に限定されず、加工成果物５Ｘが製造されるまでのいずれかの加工装置２０において加工されればよい。
【００５６】
上述した実施形態では、加工成果物５Ｘの映像の撮影等が完了したときに、それまでに撮影された映像および録音された音声が一括してサーバー７０に送信されるように構成されているが、これに限定されない。例えば、各加工装置２０において映像の撮影および音声の録音が行われる毎に撮影された映像および録音された音声がサーバー７０に送信されるように構成されていてもよい。
【００５７】
上述した実施形態では、被加工物５に識別標識９を加工していたが、これに限定されない。例えば、各加工装置２０による加工が完了して得られた加工成果物５Ｘ（ただし識別標識９は加工されていない）の形状である最終形状をビデオカメラ１５によって記録し、サーバー７０の記憶装置７２において、ビデオカメラ１５によって撮影された映像および録音された音声を上記最終形状に関連付けた状態で記憶するようにしてもよい。加工成果物５Ｘを受け取った受取主は、加工成果物５Ｘの最終形状を例えば所定の携帯端末で読み取ることでサーバー７０に記憶された特定ファイルにアクセスし、ビデオカメラ１５によって記録された映像および音声を確認することができる。ここで、ビデオカメラ１５によって撮影された映像および録音された音声には、例えば、印刷装置２０Ａによって加工された被加工物５等、箔押装置２０Ｃによって加工された被加工物５等や依頼者が含まれる。このため、印刷装置２０Ａおよび箔押装置２０Ｃによって製造される加工成果物５Ｘの製作過程の様子や、該製作過程における依頼者の気持ち等を映像や音声に含めることができる。これにより、加工成果物５Ｘを受け取った受取主には、依頼者の思いをよりよく伝達することができる。この場合、ビデオカメラ１５は、記録装置および形状記録装置の一例である。
【００５８】
上述した実施形態では、加工装置２０として、印刷装置２０Ａ、切断装置２０Ｂ、箔押装置２０Ｃ、切削装置２０Ｄ、刺繍装置２０Ｅおよび三次元造形装置２０Ｆが挙げられていたが、これらは加工装置２０の一例であり、加工装置２０はこれらに限定されない。また、加工システム１０は、少なくとも２つの加工装置２０を備えていればよい。
【００５９】
上述した実施形態では、印刷装置２０Ａと切断装置２０Ｂとは別個独立した構成であったが、これに限定されない。加工システム１０は、例えば、被加工物５に所定の画像を印刷するインクヘッドと、被加工物５を所定の形状に切断するカッティングヘッドとを備えたカッティングヘッド付きインクジェットプリンタを備えていてもよい。即ち、加工システム１０は、印刷装置２０Ａと切断装置２０Ｂとが一体化した装置を備えていてもよい。
【００６０】
上述した実施形態では、制御装置５０の加工制御部６６は、各加工装置２０を直接的に制御している（即ち制御装置５０には、複数の加工装置２０の制御を統括するソフトウェアがインストールされている。）がこれに限定されない。例えば、制御装置５０には、各加工装置２０をそれぞれ制御する専用のソフトウェアが複数インストールされており、加工制御部６６は、これらの専用のソフトウェアを介して間接的に各加工装置２０を制御してもよい。この場合、制御装置５０では、各加工装置２０に適合する形式のデータが作成されると共に各専用ソフトウェアに適合する形式で命令が作成され、データおよび命令の組合わせがそれぞれの専用ソフトウェアに送信され、専用ソフトウェアによって加工装置２０を制御する。加工制御部６６は、各専用ソフトウェアに対して命令およびデータの組み合わせを送信するタイミングを設定し、順次実行する。なお、専用のソフトウェアは、制御装置５０にインストールされていてもよいし、各加工装置２０にそれぞれインストールされていてもよい。
【００６１】
上述した実施形態では、記録制御部６８は、ステップＳ７０において、ビデオカメラ１５を制御して、第１映像と第１依頼者映像とを撮影し、かつ、第１音声を録音しているが、これに限定されない。記録制御部６８は、ビデオカメラ１５を制御して、第１映像および第１依頼者映像のみを撮影してもよいし、第１映像のみを撮影しかつ第１音声のみを録音してもよい。
【００６２】
上述した実施形態では、記録制御部６８は、ステップＳ９０において、ビデオカメラ１５を制御して、第２映像と第２依頼者映像とを撮影し、かつ、第２音声を録音しているが、これに限定されない。記録制御部６８は、ビデオカメラ１５を制御して、第２映像および第２依頼者映像のみを撮影してもよいし、第２映像のみを撮影しかつ第２音声のみを録音してもよい。
【００６３】
上述した実施形態では、ステップＳ１００において、ビデオカメラ１５によって撮影された第１映像、第１依頼者映像、第２映像および第２依頼者映像、および録音された第１音声および第２音声がサーバー７０に送信され、特定ファイルとして記憶装置７２に記憶されるが、ビデオカメラ１５によって撮影された映像や録音された音声とは別に、依頼者が予め用意した所定の静止画または動画である第３映像や所定の音声をサーバー７０に送信して、第３映像および／または所定の音声を特定ファイルに含ませてもよい。
【００６４】
上述した実施形態では、ステップＳ７０およびステップＳ９０において、記録制御部６８は、ビデオカメラ１５を制御して第１映像および第２映像を撮影しているが、記録制御部６８は、第１映像および第２映像を撮影しなくてもよい。
【００６５】
上述した実施形態では、第１加工装置の一例として印刷装置２０Ａを用い、第２加工装置の一例として箔押装置２０Ｃを用いていたが、例えば、第２加工装置の一例として印刷装置２０Ａと同様の構成の他の印刷装置を用いてもよい。即ち、第１加工装置および第２加工装置において被加工物５に対して同種類の加工（ここでは印刷）をしてもよい。この場合、例えば、第１加工装置において通常のインクを用いて被加工物５に印刷を行い、その後に、第２加工装置おいて特殊なインクを用いて被加工物５に印刷を行う。
【符号の説明】
【００６６】
５  被加工物
５Ａ  中間成果物
５Ｘ  加工成果物
８  画像
９  識別標識
１０  加工システム
１５  ビデオカメラ（記録装置）
１７  キャリッジ
１８  ガイドレール
２０  加工装置
２０Ａ  印刷装置
２０Ｃ  箔押装置
４０  操作端末
４８  検出センサ（検出装置）
５０  制御装置
６６  加工制御部
６８  記録制御部
６９  移動制御部
７０  サーバー
７２  記憶装置
【図１】
2019211855.tif 000003
【図２】
2019211855.tif 000004
【図３】
2019211855.tif 000005
【図４】
2019211855.tif 000006
【図５】
2019211855.tif 000007
【図６】
2019211855.tif 000008